(57)【要約】【課題】送電線の経路の邪魔になることなく、また、錘の重量を不必要に大きくすることなく、効果的にバランスをとることができる懸垂型碍子装置用バランスウェイトを提供すること。【解決手段】送電線Ｄを吊り下げた状態で支持する懸垂型碍子装置１００に取り付けるバランスウェイト１２であって、懸垂型碍子装置の鉛直下方を中心にする重量の偏りを解消する側に配設される錘部１６を備えており、該錘部は分割錘部１６ａ、１６ｂに分割されて対称となる位置に、懸垂型碍子装置に連結されている支持部材１４（１４ａ、１４ｂ）により支持される。【選択図】図２
2012034545.tif 000002
【特許請求の範囲】
【請求項１】
送電線を吊り下げた状態で支持する懸垂型碍子装置に取り付けるバランスウェイトであって、
前記懸垂型碍子装置の鉛直下方を中心にする重量の偏りを解消する側に配設される錘部を備えており、
該錘部は、分割して、前記懸垂型碍子装置に連結されている支持部材により支持されることを特徴とする懸垂型碍子装置用バランスウェイト。
【請求項２】
前記支持部材は、前記懸垂型碍子装置の鉛直下方の片側側方に延在して当該鉛直下方からの側方延長線を中心とする対称位置に拡開して前記錘部の分割錘部をそれぞれ支持することを特徴とする請求項１に記載の懸垂型碍子装置用バランスウェイト。
【請求項３】
前記支持部材は、前記懸垂型碍子装置の吊り下げる前記送電線の両側の対称位置に前記錘部の分割錘部をそれぞれ支持することを特徴とする請求項２に記載の懸垂型碍子装置用バランスウェイト。
【請求項４】
送電線を吊り下げた状態で支持する懸垂型碍子装置であって、
上記請求項１から３のいずれかに記載のバランスウェイトを備えることを特徴とする懸垂型碍子装置。
【請求項５】
前記送電線の吊下中心の両側にアークホーンを備えるとともに、該アークホーンの片側に避雷装置が設けられており、
前記バランスウェイトは、前記避雷装置の反対側の対称位置に前記錘部の分割錘部をそれぞれ配置することを特徴とする請求項４に記載の懸垂型碍子装置。
【発明の詳細な説明】
【技術分野】
【０００１】
本発明は、懸垂型碍子装置用バランスウェイトに関し、詳しくは、懸垂型碍子装置に機能を持たせるために各種部材を取り付けたときのバランスを調整するものに関する。
【背景技術】
【０００２】
送電線を鉄塔などに架線する際には、碍子を直列に連結した懸垂型碍子装置を利用して送電線を吊り下げた状態に支持して架線することが知られており（例えば、特許文献１）、例えば、図４に示すように、その懸垂型碍子装置１００は、懸垂型碍子列１０１の直下に設けられているクランプ１１２により略水平姿勢の送電線Ｄを挟持して保持するようになっている。
【０００３】
この種の懸垂型碍子装置としては、碍子沿面のフラッシュオーバーを防止するアークホーンが取り付けられたり、そのアークホーンに追加して避雷装置を設けることも行われており（例えば、特許文献２、３）、図４に示す懸垂型碍子装置１００では、アークホーン１１３の片側に避雷装置１１４が位置するように設けられている。
【先行技術文献】
【特許文献】
【０００４】
【特許文献１】特開平１１−２０５９８０号公報
【特許文献２】特開平５−１２９４３号公報
【特許文献３】特開平１０−９２２４２号公報
【発明の概要】
【発明が解決しようとする課題】
【０００５】
このような懸垂型碍子装置にあっては、図４に示すように、片側に避雷装置１１４を追加するために、懸垂型碍子装置１００が送電線Ｄを水平方向に延在する姿勢で適正に保持することができるように、懸垂型碍子列１０１を鉛直姿勢になるように避雷装置１１４の反対側にバランスウェイト１１５を設けられる場合がある。
【０００６】
しかしながら、その懸垂型碍子装置１００にあっては、保持する送電線Ｄが配線経路によって上向きになる場合には、バランスウェイト１１５に干渉してしまうことから、そのバランスウェイト１１５の錘１１５ａを重くするのと同時に支持する金具１１５ｂを短くしなければならず、全体の重量が増加してしまう。また、このバランスウェイト１１５では、錘１１５ａを重くするにしても有効に機能させるのに限界があり、そのために、懸垂型碍子装置１００に追加する避雷装置１０４やその他の装置の重量などが制限されてしまう。
【０００７】
そこで、本発明は、送電線の経路の邪魔になることなく、また、錘の重量を不必要に大きくすることなく、効果的にバランスをとることができる懸垂型碍子装置用バランスウェイトを提供することを目的としている。
【課題を解決するための手段】
【０００８】
上記課題を解決する懸垂型碍子装置用バランスウェイトの発明は、送電線を吊り下げた状態で支持する懸垂型碍子装置に取り付けるバランスウェイトであって、前記懸垂型碍子装置の鉛直下方を中心にする重量の偏りを解消する側に配設される錘部を備えており、該錘部は、分割して、前記懸垂型碍子装置に連結されている支持部材により支持されることを特徴とするものである。
【０００９】
この発明では、懸垂型碍子装置の鉛直下方を中心にする重量の偏りを解消する側に、例えば、懸垂型碍子装置のバランスを崩す追加装置の反対側で離隔する方向に、延在して分割（分岐）されている支持部材に、錘部も分割されて支持される。したがって、例えば、懸垂型碍子装置の鉛直下方の錘部の間に送電線を通す形態で保持することができ、懸垂型碍子装置の片側に追加装置を設置したとしても、その送電線の両側の支持部材の長さや分割錘部の重量により追加装置とのバランスをとることができる。
【発明の効果】
【００１０】
このように本発明によれば、懸垂型碍子装置の鉛直下方に保持する送電線の両側などに支持部材を分割延在させて分割錘部を支持させることにより、懸垂型碍子装置に設置する追加装置の重量による偏りを解消することができる。したがって、送電線に干渉することがなく（経路の邪魔になることなく）、錘部を不必要に重くすることなく、懸垂型碍子装置のバランスを取ることができる。
【図面の簡単な説明】
【００１１】
【図１】本発明に係る懸垂型碍子装置用バランスウェイトの第１実施形態を示す図であり、その懸垂型碍子装置に取り付けた状態を示す正面図である。
【図２】その第１実施形態の全体構成を示す正面図である。
【図３】本発明に係る懸垂型碍子装置用バランスウェイトの第２実施形態の全体構成を示す正面図である。
【図４】懸垂型碍子装置用バランスウェイトの関連技術の全体構成を示す正面図である。
【発明を実施するための形態】
【００１２】
本発明の実施形態としては、上記の課題解決手段のように、送電線を吊り下げた状態で支持する懸垂型碍子装置に取り付けるバランスウェイトであって、前記懸垂型碍子装置の鉛直下方を中心にする重量の偏りを解消する側に配設される錘部を備えており、該錘部は、分割して、前記懸垂型碍子装置に連結されている支持部材により支持されることを基本構成とするのに加えて、次の構成を備えてもよい。
【００１３】
第１の形態としては、前記支持部材は、前記懸垂型碍子装置の鉛直下方の片側側方に延在して当該鉛直下方からの側方延長線を中心とする対称位置に拡開して前記錘部の分割錘部をそれぞれ支持するようにしてもよい。
【００１４】
第２の形態としては、前記支持部材は、前記懸垂型碍子装置の吊り下げる前記送電線の両側の対称位置に前記錘部の分割錘部をそれぞれ支持するようにしてもよい。
【００１５】
第３の形態としては、送電線を吊り下げた状態で支持する懸垂型碍子装置であって、上記の基本構成または第１、第２の形態のいずれかに記載のバランスウェイトを備える懸垂型碍子装置を構成する場合には、前記送電線の吊下中心の両側にアークホーンを備えるとともに、該アークホーンの片側に避雷装置が設けられており、前記バランスウェイトは、前記避雷装置の反対側の対称位置に前記錘部の分割錘部をそれぞれ配置するようにしてもよい。
【００１６】
第５の形態としては、前記分割錘部の重量または前記支持部材の長さあるいは分割本数を分割位置に応じて変えることにより重量の偏りのバランスを取るようにしてもよい。
【００１７】
以下、図面を参照して、本発明の実施形態について詳細に説明する。図１および図２は本発明に係る懸垂型碍子装置用バランスウェイトの第１実施形態を示す図である。
【００１８】
図１において、懸垂型碍子装置用バランスウェイト１２は、懸垂型碍子装置１００の直下に送電線Ｄを保持するクランプ１０２と共に設置されており、この懸垂型碍子装置１００は、クランプ１１２が挟持して保持する送電線Ｄを不図示の鉄塔などに吊り下げた状態にして略水平姿勢に架線するようになっている。
【００１９】
ここで、懸垂型碍子装置１００は、碍子１０１ａが直列に連結されることにより絶縁性を確保するようになっており、鉄塔側に連結するＵ字ボルト１０２を吊り下げ具１０３に貫通させて碍子列１０１の上部を支持させることにより懸垂状態に設置するとともに、その碍子列１０１の下部の吊り下げ具１０３にクランプ１１２を取り付けることにより水平姿勢の送電線Ｄ（図２を参照）を挟持して保持するようになっている。
【００２０】
また、懸垂型碍子装置１００は、碍子１０１ａの沿面におけるフラッシュオーバーを防止するアークホーン１１３ａ、１１３ｂが取り付けられており、その図中右側には、そのアークホーン１１３ａ、１１３ｂのそれぞれに追加して避雷装置１１４ａ、１１４ｂが取り付けられている。
【００２１】
この懸垂型碍子装置１００は、碍子列１０１の片側に避雷装置１１４ａ、１１４ｂを追加するために生じる、その碍子列１０１直下を中心にする重量バランスの偏りを解消する側、ここでは、避雷装置１１４ａ、１１４ｂの反対側にバランスウェイト１１、１２を配設しており、バランスウェイト１１は、碍子列１０１の上部の吊り下げ具１０３に固定する支持部材１３の先端側に錘部１５を固定することにより機能させる一方、バランスウェイト１２は、碍子列１０１の下部の吊り下げ具１０３に固定する支持部材１４の先端側に錘部１６を固定することにより機能させるようになっている。
【００２２】
バランスウェイト１１は、懸垂型碍子装置１００の上部に位置して構成部品以外に干渉する部材はないことから、支持部材１３は、碍子列１０１の上部から避雷装置１１４ａ、１１４ｂの反対側の水平方向に延長されて、その先端に１つの錘部１５を固設するようになっている。
【００２３】
一方、バランスウェイト１２は、懸垂型碍子装置１００の下部に位置して直下にはクランプ１１２が設置されて水平方向に延在する送電線Ｄが保持されていることから、図２に示すように、支持部材１４は、碍子列１０１の下部から分岐（分割）されるとともに避雷装置１１４ａ、１１４ｂの反対側の水平方向の延長線Ｌ上に架線されている送電線Ｄを中心とする両側の対称位置に拡開延長されて、その支持部材１４ａ、１４ｂのそれぞれの先端に２つに分割された分割錘部１６ａ、１６ｂを固設するようになっている。
【００２４】
これにより、バランスウェイト１２は、懸垂型碍子装置１００下部のクランプ１１２により保持される送電線Ｄが斜め上方に傾斜する経路を取るように架線されるために、避雷装置１１４ａ、１１４ｂの反対側の水平方向にそのまま延長する延長線Ｌの位置がその送電線Ｄの架線経路に重複する場合でも、その送電線Ｄ（延長線Ｌ）の両側の対称位置に、支持部材１４ａ、１４ｂを十分な長さに延在させるとともに、その先端に必要十分な重量の分割錘部１６ａ、１６ｂを位置させて十分な荷重を掛けることができ、懸垂型碍子装置１００の下部側でも碍子列１０１の片側に避雷装置１１４ａ、１１４ｂを追加したことによる重量の偏りを解消して送電線Ｄを所望の姿勢で架線することができる。
【００２５】
このように本実施形態においては、懸垂型碍子装置１００の直下に通す送電線Ｄの両側の対称位置にバランスウェイト１２の分割錘部１６ａ、１６ｂが位置することにより、送電線Ｄとの干渉を回避しつつ、避雷装置１１４ａ、１１４ｂによるバランスの偏りを解消することができ、バランスウェイト１２が邪魔になることなく、送電線Ｄを架線することができる。したがって、バランスウェイト１２の錘部１６を不必要に重くすることなく、送電線Ｄを架線する懸垂型碍子装置１００のバランスを取って鉛直な懸垂状態にすることができる。
【００２６】
次に、図３は本発明に係る懸垂型碍子装置用バランスウェイトの第２実施形態を示す図である。ここで、本実施形態は、上述実施形態と略同様に構成されていることから、同様の構成には同一の符号を付して特徴部分を説明する。
【００２７】
図３において、懸垂型碍子装置用バランスウェイト１２は、支持部材１４ａ、１４ｂのそれぞれの先端に、重量の異なる分割錘部２６ａ、２６ｂが固設されており、図面の表裏側に重量の偏りのある装置を追加される懸垂型碍子装置１００に合わせて、その重量の偏りを解消するように分割錘部２６ａ、２６ｂの重量バランスが設定されている。
【００２８】
このように本実施形態においては、上述実施形態による作用効果に加えて、懸垂型碍子装置１００の直下に通す送電線Ｄの両側の対称位置にバランスウェイト１２の分割錘部２６ａ、２６ｂが位置することにより、送電線Ｄとの干渉を回避しつつ、追加装置によるバランスの偏りを解消することができるとともに、懸垂型碍子装置１００が送電線Ｄに対する直交方向に傾いてしまうことを回避することができる。したがって、送電線Ｄに対する直交方向にバランスのずれている装置でも懸垂型碍子装置１００に追加して設置することができ、追加装置の設置制限を緩和することができる。
【００２９】
本実施形態の他の態様としては、図示することは省略するが、分割錘部１６ａ、１６ｂを支持する支持部材１４ａ、１４ｂの延長長さを変えることにより、また、その支持部材の分割本数と共に錘部の分割個数を変えることにより、重量の偏りのバランスを取るようにしてもよい。
【産業上の利用可能性】
【００３０】
これまで本発明の一実施形態について説明したが、本発明は上述の実施形態に限定されず、その技術的思想の範囲内において種々異なる形態にて実施されてよいことは言うまでもない。例えば、上述実施形態では、懸垂型碍子装置に取り付ける場合を一例にして説明するが、これに限るものではなく、他の装置に設置するバランスウェイトに適用することができることは言うまでもない。
【符号の説明】
【００３１】
１２……懸垂型碍子装置用バランスウェイト      １４、１４ａ、１４ｂ……支持部材      １６、２６……錘部      １６ａ、１６ｂ、２６ａ、２６ｂ……分割錘部      １００……懸垂型碍子装置      １０１……碍子列      １０１ａ……碍子      １０３……吊り下げ具      １１２……クランプ      １１３、１１３ａ、１１３ｂ……アークホーン      １１４、１１４ａ、１１４ｂ……避雷装置      Ｄ……送電線      Ｌ……延長線
【図１】
2012034545.tif 000003
【図２】
2012034545.tif 000004
【図３】
2012034545.tif 000005
【図４】
2012034545.tif 000006